(57)【要約】 【課題】  安価にして耐久性に優れたウォーキングビーム型加熱炉用スキッドを提供する。【解決手段】  スキッド１を、スキッドパイプ３と、このスキッドパイプ３の上部に突設されて鋼材を支持する複数のスキッドボタン２と、スキッドパイプ３を被覆する不定形耐火物５とを有するものとして、スキッドパイプ３に複数枚の保護プレート７を、スキッドパイプ３の長手方向に間隔をおいて且つ不定形耐火物５から鍔状に突出させて立設する。移動スキッドにより持ち上げられて先端が下向きに曲げられた鋼材が降下する時に、その先端を保護プレート７で受け止めて、鋼材の衝突による不定形耐火物５の損傷を防止する。【選択図】    図１
2005350713.tif 000002
【特許請求の範囲】
【請求項１】
スキッドパイプと、このスキッドパイプの上部に突設されて鋼材を支持する複数のスキッドボタンと、前記スキッドパイプを被覆する不定形耐火物とを有するウォーキングビーム型加熱炉用スキッドにおいて、不定形耐火物への鋼材の衝突を防止するための複数枚の保護プレートを、スキッドパイプの長手方向に間隔をおいて且つ不定形耐火物から鍔状に突出させてスキッドパイプに立設したことを特徴とするウォーキングビーム型加熱炉用スキッド。
【請求項２】
保護プレートの立設間隔を、鋼材の搬送方向の横幅未満とした請求項１に記載のウォーキングビーム型加熱炉用スキッド。
【請求項３】
保護プレートの不定形耐火物からの突出幅を５〜１０ｍｍとした請求項１又は２に記載のウォーキングビーム型加熱炉用スキッド。
【請求項４】
保護プレートの厚みを１４〜２２ｍｍとした請求項１〜３の何れかに記載のウォーキングビーム型加熱炉用スキッド。
【発明の詳細な説明】
【技術分野】
【０００１】
本発明は、ウォーキングビーム型加熱炉用スキッドに係り、特に耐久性良好なスキッドに関する。
【背景技術】
【０００２】
ウォーキングビーム型加熱炉は、スラブ、ビレットなどの鋼材を水平方向に搬送しながら所定の温度に加熱する加熱炉である。このウォーキングビーム型加熱炉の内部構造を図５、６に示すが、その炉床は、搬送方向に沿って水平に配設された固定スキッド５１と移動スキッド５２とから構成されており、鋼材はこれらスキッド５１、５２に直交して載置される。移動スキッド５２は、上昇、前進、降下、後退の矩形運動を行うことによって、持ち上げた鋼材を前進させて再び固定スキッド５１上に据え置くことができる。移動スキッド５２が以上のような矩形運動を繰り返すことによって、鋼材を加熱しつつ前進させることができ、所要温度に加熱された鋼材は圧延機に向けて抽出される。
【０００３】
従来の固定スキッド５１、移動スキッド５２は、図７に示すような構造のものであって、鋼材が載置されるスキッドボタン５３が、スキッドパイプ５４に溶接されたボタン押え５５によってスキッドパイプ５４に固定されており、スキッドパイプ５４は耐火キャスタブル等の不定形耐火物５６によって被覆、断熱されている。
【０００４】
上記したような構造のウォーキングビーム型加熱炉において、加熱される鋼材は常に一定の長さであるとは限らず、その端部が炉側の固定スキッド５１のスキッドボタン５３上に乗らないことがある。また鋼材がスラブであって厚みの薄いような場合には加熱によって曲がりなどの変形を生じやすい。したがって、鋼材の端部がスキッドボタン５３に丁度到達せず且つ鋼材の厚みが薄いような場合には、移動スキッド５２の上昇によって持ち上げられた鋼材の先端が下向きに曲がり、次いで移動スキッド５２が降下したときに、図７に示すように鋼材の先端が不定形耐火物５６に衝突することがある。鋼材は連続的に炉内を順次移動するので、上記のような場合には鋼材の先端が不定形耐火物５６に衝突することが何度も繰り返されることとなって、この結果不定形耐火物５６が脱落等の損傷を受けてしまうことがあった。また、移動スキッド５２においても同様なことが言える。スラブの端部が移動スキッド５２付近にあり、スキッドボタン５３上に乗らない場合、固定スキッド５１上で下向きに曲がった鋼材の端部に移動スキッド５２が上昇した時、鋼材の先端が不定形耐火物５６に衝突するという問題があった。
【０００５】
このような不定形耐火物の損傷を防止できるスキッドとして、特許文献１には、スキッドボタンを末広がり状の底部を有するセラミックス製のスキッドボタンとして、堆積したスケールの押圧から不定形耐火物を保護するようにしたものが開示されている。このスキッドにおいては、不定形耐火物の上半部を前記セラミックス製の底部に代えたので、不定形耐火物の損傷を防止することができる。しかしながら、前記スキッドボタンは特殊な形状をしているために改造のためのコストが嵩むこととなって、このスキッドを実施することは容易なことではない。
【特許文献１】実公昭５９−１４１５６０号公報  (図３)
【発明の開示】
【発明が解決しようとする課題】
【０００６】
本発明は上記した従来の問題点を解決して、安価にして耐久性に優れたウォーキングビーム型加熱炉用スキッドを提供するためになされたものである。
【課題を解決するための手段】
【０００７】
上記の課題を解決するためになされた本発明のウォーキングビーム型加熱炉用スキッドは、スキッドパイプと、このスキッドパイプの上部に突設されて鋼材を支持する複数のスキッドボタンと、前記スキッドパイプを被覆する不定形耐火物とを有するウォーキングビーム型加熱炉用スキッドにおいて、不定形耐火物への鋼材の衝突を防止するための複数枚の保護プレートを、スキッドパイプの長手方向に間隔をおいて且つ不定形耐火物から鍔状に突出させてスキッドパイプに立設したことを特徴とするものである。なお、保護プレートの立設間隔を、鋼材の搬送方向の横幅未満とするのが望ましく、また、保護プレートの不定形耐火物からの突出幅を５〜１０ｍｍとすることができ、保護プレートの厚みを１４〜２２ｍｍとすることができる。
【発明の効果】
【０００８】
本発明のウォーキングビーム型加熱炉用スキッドは、複数枚の保護プレートをスキッドパイプの長手方向に間隔をおいて且つ不定形耐火物から鍔状に突出させてスキッドパイプに立設したので、移動スキッドにより持ち上げられて先端が下向きに曲げられた鋼材が降下する時もしくは移動スキッド上昇時に、鋼材の先端を保護プレートで受け止めるのでその先端が不定形耐火物に衝突するのを防止できる。前記保護プレートの立設間隔を鋼材の搬送方向の横幅未満としたので、保護プレートの間に鋼材が入り込むことがなく鋼材の衝突による不定形耐火物の損傷を確実に防止することができる。また、保護プレート外周縁の不定形耐火物からの突出幅を５〜１０ｍｍとし、保護プレートの厚みを１４〜２２ｍｍとすることによって、保護プレートの強度を確保して鋼材を受け止めることができる。
【発明を実施するための最良の形態】
【０００９】
以下に図面を参照しつつ本発明の好ましい実施形態を説明する。
図１、２は、本発明の実施形態のウォーキングビーム型加熱炉用スキッドを示す図である。図示のスキッド１において、スキッドボタン２は直方体状の角ボタンであって、このスキッドボタン２は、スキッドパイプ３に溶接されたボタン押え４によって固定され、スキッドパイプ３の上側に間隔をおいて列状に突設されている。スキッドパイプ３は不定形耐火物５により被覆されて炉内雰囲気から断熱されているが、不定形耐火物５は多数のステンレス鋼製などのアンカーメタル６により取り付け力を補強されてスキッドパイプ３に装着されている。
【００１０】
以上のようなスキッド１において、複数枚の保護プレート７がスキッドパイプ３の長手方向に所要間隔をおいてスキッドボタン２の間に立設されている。保護プレート７は、図３に示すように、外形が長円を横に半切したような形状であって内部にはスキッドパイプ３の外形に合わせて切込み凹部８が設けられた下向きＵの字形のものである。そして、スキッドパイプ３と接触する切込み凹部８の下端部９が溶接されて保護プレート７はスキッドパイプ３に固定されている。即ち、保護プレート７はスキッドパイプ３の上半部から外周方向に張り出すように取り付けられているが、この保護プレート７はその外周縁を５〜１０ｍｍ不定形耐火物５から鍔状に突出させて取り付けられている。
【００１１】
前記保護プレート７の取り付け間隔は、鋼材の搬送方向の横幅未満とするのが望ましい。例えば鋼材がスラブであって、炉内に装入されるスラブの横幅が６００〜１４００ｍｍで変動するような場合には、保護プレート７の取り付け間隔を６００ｍｍ未満とすることによって、折れ曲がった鋼材が保護プレート７間に入り込むのを確実に防止することができる。保護プレート７はスキッドパイプ３の全長に配置してもよいが、不定形耐火物５が損傷を受け易い部分に集中して配置することもできる。
【００１２】
保護プレート７の材質は特に限定されるものではなく、例えばＳＳ４００などの鋼板を用いることができる。なお、既記したように保護プレート７外周縁の不定形耐火物５からの突出幅は、５〜１０ｍｍとするのが望ましい。突出幅が５ｍｍ未満では不定形耐火物５の施工精度及び保護プレート７端部の酸化腐食により減肉し所定の目標を達しないからであり、一方１０ｍｍを超えるとスキッド１への吸熱が大きくなり燃料ロスにつながるからである。また、保護プレート７の厚みは１４〜２２ｍｍとするのが望ましい。厚みが１４ｍｍ未満では保護プレート７の強度を確保するのが困難であり、一方強度の確保のために２２ｍｍを越えて厚くする必要はないのみならず、スキッド１への吸熱を促し燃料ロスにつながるからである。
【００１３】
図４には上記したものと別の形態のウォーキングビーム型加熱炉用スキッドを示す。図においてスキッドボタン２は円柱状の丸ボタンであって、このスキッドボタン２は溶接により直接スキッドパイプ３に固定されている。そして、保護プレート７を不定形耐火物５の横断面形状に対応する形状として、この保護プレート７の外周縁が不定形耐火物５から５〜１０ｍｍ突出するようにして保護プレート７がスキッドパイプ３に固定されている。
【００１４】
以上のように構成されたウォーキングビーム型加熱炉用スキッドにおいては、移動スキッドにより持ち上げられて先端が下向きに曲げられた鋼材が降下する時に、その先端を保護プレートで受け止めることができるので、鋼材の衝突による不定形耐火物の損傷を防止することができる。保護プレートを移動スキッドに装着した場合にも、移動スキッドの不定形耐火物を鋼材の衝突から保護することができる。また、保護プレートの立設間隔を鋼材の搬送方向の横幅未満とすることによって、鋼材が不定形耐火物に衝突するのを確実に防止することができる。さらに、保護プレートは構造が簡単で安価に製造できる。
したがって、本発明のウォーキングビーム型加熱炉用スキッドは、安価にして耐久性に優れるという大きな利点を有する。
【図面の簡単な説明】
【００１５】
【図１】本発明に係るウォーキングビーム型加熱炉用スキッドの横方向の断面図である。
【図２】本発明に係るウォーキングビーム型加熱炉用スキッドの長手方向の断面図である。
【図３】保護プレートの取り付け構造を説明する断面図である。
【図４】別の実施形態のウォーキングビーム型加熱炉用スキッドを示す断面図である。
【図５】ウォーキングビーム型加熱炉の炉床を示す平面図である。
【図６】ウォーキングビーム型加熱炉の内部を示す正面図である。
【図７】従来のスキッドの構造と、湾曲した鋼材が不定形耐火物に衝突した状態とを示す説明図である。
【符号の説明】
【００１６】
１  スキッド
２  スキッドボタン
３  スキッドパイプ
４  ボタン押え
５  不定形耐火物
６  アンカーメタル（耐熱炉内用金物）
７  保護プレート
８  切込み凹部
９  切込み凹部の下端部
【図１】
2005350713.tif 000003
【図２】
2005350713.tif 000004
【図３】
2005350713.tif 000005
【図４】
2005350713.tif 000006
【図５】
2005350713.tif 000007
【図６】
2005350713.tif 000008
【図７】
2005350713.tif 000009